(57)【要約】【課題】熱源システムごとに熱媒温度又は環境温度に違いがある場合でも、熱媒温度又は環境温度の違いに影響されることなく複数の熱源システムの効率を評価することができる効率決定装置、効率決定方法及び効率決定プログラムを提供することである。【解決手段】実施形態の効率決定装置は、取得部と、決定部とを持つ。取得部は、機器が負荷に供給する熱媒の温度及び流量を表す情報と、熱媒を負荷に供給するために機器によって消費されたエネルギー量を表す情報とを取得する。決定部は、熱媒の温度及び流量を表す情報と消費されたエネルギー量を表す情報とに基づいて、エクセルギー効率を決定する。【選択図】図３
2017053555.tif 000002
【特許請求の範囲】
【請求項１】
機器が負荷に供給する熱媒の温度及び流量を表す情報と、前記熱媒を前記負荷に供給するために前記機器によって消費されたエネルギー量を表す情報とを取得する取得部と、
前記熱媒の温度及び流量を表す情報と前記消費されたエネルギー量を表す情報とに基づいて、エクセルギー効率を決定する決定部と、
を備える効率決定装置。
【請求項２】
前記決定部は、前記エクセルギー効率を前記機器ごとに決定する、請求項１に記載の効率決定装置。
【請求項３】
前記取得部は、前記機器に関する環境温度を表す情報を更に取得し、
前記決定部は、前記環境温度を表す情報に基づいて、前記エクセルギー効率を決定する、請求項１に記載の効率決定装置。
【請求項４】
前記エクセルギー効率を表す画像を生成する画像生成部
を更に備える、請求項１に記載の効率決定装置。
【請求項５】
前記画像生成部は、前記エクセルギー効率を時系列で表す画像を生成する、請求項４に記載の効率決定装置。
【請求項６】
前記画像生成部は、前記熱媒の温度と環境温度との差を表す画像を生成する、請求項４に記載の効率決定装置。
【請求項７】
効率を決定する効率決定装置における効率決定方法であって、
機器が負荷に供給する熱媒の温度及び流量を表す情報と、前記熱媒を前記負荷に供給するために前記機器によって消費されたエネルギー量を表す情報とを取得するステップと、
前記熱媒の温度及び流量を表す情報と前記消費されたエネルギー量を表す情報とに基づいて、エクセルギー効率を決定するステップと、
を含む効率決定方法。
【請求項８】
コンピュータに、
機器が負荷に供給する熱媒の温度及び流量を表す情報と、前記熱媒を前記負荷に供給するために前記機器によって消費されたエネルギー量を表す情報とを取得する手順と、
前記熱媒の温度及び流量を表す情報と前記消費されたエネルギー量を表す情報とに基づいて、エクセルギー効率を決定する手順と、
を実行させるための効率決定プログラム。
【発明の詳細な説明】
【技術分野】
【０００１】
本発明の実施形態は、効率決定装置、効率決定方法及び効率決定プログラムに関する。
【背景技術】
【０００２】
熱源システムは、空調機器等を冷却又は加熱するために熱媒を生成するシステムである。熱源システムの効率は、成績係数（COP: Coefficient Of Performance）等のエンタルピーに基づいて評価される場合がある。
【０００３】
しかしながら、エンタルピーに基づいて評価された熱源システムの効率は、熱媒温度や環境温度に応じて異なる場合がある。このため、従来の装置は、熱源システムごとに熱媒温度又は環境温度に違いがある場合には、熱媒温度又は環境温度の違いに影響されてしまい、複数の熱源システムの効率を評価することができない場合があった。
【先行技術文献】
【特許文献】
【０００４】
【特許文献１】特開２００３−２８８４０１号公報
【発明の概要】
【発明が解決しようとする課題】
【０００５】
本発明が解決しようとする課題は、熱源システムごとに熱媒温度又は環境温度に違いがある場合でも、熱媒温度又は環境温度の違いに影響されることなく複数の熱源システムの効率を評価することができる効率決定装置、効率決定方法及び効率決定プログラムを提供することである。
【課題を解決するための手段】
【０００６】
実施形態の効率決定装置は、取得部と、決定部とを持つ。取得部は、機器が負荷に供給する熱媒の温度及び流量を表す情報と、熱媒を負荷に供給するために機器によって消費されたエネルギー量を表す情報とを取得する。決定部は、熱媒の温度及び流量を表す情報と消費されたエネルギー量を表す情報とに基づいて、エクセルギー効率を決定する。
【図面の簡単な説明】
【０００７】
【図１】実施形態における、エクセルギー効率決定装置を備えるエクセルギー効率決定システムの構成の例を示す図。
【図２】実施形態における、熱源システムの構成の例を示す図。
【図３】実施形態における、エクセルギー効率決定装置の構成の例を示す図。
【図４】実施形態における、エクセルギー効率を表す画像の表示の第１例を示す図。
【図５】実施形態における、エクセルギー効率を表す画像の表示の第２例を示す図。
【図６】実施形態における、エクセルギー効率決定装置の動作の第１例を示すフローチャート。
【図７】実施形態における、エクセルギー効率を表す画像の表示の第３例を示す図。
【図８】実施形態における、平均エクセルギー効率を表す画像の表示の第１例を示す図。
【図９】実施形態における、平均エクセルギー効率を表す画像の表示の第２例を示す図。
【図１０】実施形態における、平均エクセルギー効率を表す画像の表示の第３例を示す図。
【図１１】実施形態における、エクセルギー効率決定装置の動作の第２例を示すフローチャート。
【図１２】実施形態における、消費電力削減量の表示の例を示す図。
【図１３】実施形態における、エクセルギー効率決定装置の動作の第３例を示すフローチャート。
【図１４】実施形態における、エクセルギー効率を表す画像の表示の第４例を示す図。
【図１５】実施形態における、エクセルギー効率決定装置の動作の第４例を示すフローチャート。
【発明を実施するための形態】
【０００８】
以下、実施形態の効率決定装置、効率決定方法及び効率決定プログラムを、図面を参照して説明する。
（第１の実施形態）
図１は、エクセルギー効率決定装置２を備えるエクセルギー効率決定システム１の構成の例を示す図である。エクセルギー効率決定システム１は、エクセルギー効率決定装置２と、通信回線３と、建物４−１〜４−Ｎ（Ｎは２以上の整数）とを備える。建物４−ｎ（ｎは１〜Ｎのいずれか）は、制御装置５−ｎと、熱源システム６−ｎとを備える。
【０００９】
以下、建物４−１〜４−Ｎに共通する事項については、符号の一部を省略して、「建物４」と表記する。以下、制御装置５−１〜５−Ｎに共通する事項については、符号の一部を省略して、「制御装置５」と表記する。以下、熱源システム６−１〜６−Ｎに共通する事項については、符号の一部を省略して、「熱源システム６」と表記する。
【００１０】
エクセルギー効率決定装置２（統合監視装置）は、クラウドサーバ装置等の情報処理装置である。エクセルギー効率決定装置２は、例えば、データセンターの建物に備えられる。エクセルギー効率決定装置２は、通信回線３を介して、制御装置５及び熱源システム６を建物４ごとに監視する。例えば、エクセルギー効率決定装置２は、通信回線３を介して、制御装置５による熱源システム６の制御結果を取得する。通信回線３は、例えば、インターネットである。例えば、エクセルギー効率決定装置２は、通信回線３を介して、熱源システム６の状態情報を取得する。
【００１１】
建物４は、例えば、工場の建屋である。建物４−１〜４−Ｎは、例えば、同一企業によって管理されている建物である。制御装置５は、熱源システム６の各部の状態の測定結果に基づいて、熱源システム６を制御する。熱源システム６は、熱源機を備える。熱源機は、空調機器等を冷却又は加熱するために熱媒を生成する。
【００１２】
図２は、熱源システム６の構成の例を示す図である。図２では、熱源システム６は、冷却塔６０−１〜６０−３と、冷却水ポンプ６１−１〜６１−３と、熱源機６２−１〜６２−３と、往１次ヘッダ６３と、２次ポンプ６４と、バイパス弁６５と、往２次ヘッダ６６と、負荷６７と、還ヘッダ６８と、往還バイパス路６９と、１次ポンプ７０−１〜７０−３とを備える。
【００１３】
熱源システム６の各部は、センサを備えてもよい。センサは、熱源システム６の各部の状態を測定する。センサが測定した結果を表す情報は、熱源システム６の各部の状態の測定結果として、制御装置５に送信されてもよい。
【００１４】
以下、冷却水ポンプ６１−１から熱源機６２−１に供給される熱媒の温度（熱媒温度）を「ＴＣＷＩ１」と表記する。以下、熱源機６２−１から冷却塔６０−１に供給される熱媒の温度を「ＴＣＷＯ１」と表記する。以下、冷却水ポンプ６１−２から熱源機６２−２に供給される熱媒の温度を「ＴＣＷＩ２」と表記する。以下、熱源機６２−２から冷却塔６０−２に供給される熱媒の温度を「ＴＣＷＯ２」と表記する。以下、冷却水ポンプ６１−３から熱源機６２−３に供給される熱媒の温度を「ＴＣＷＩ３」と表記する。以下、熱源機６２−３から冷却塔６０−３に供給される熱媒の温度を「ＴＣＷＯ３」と表記する。
【００１５】
以下、１次ポンプ７０−１から熱源機６２−１に供給される熱媒の温度を「ＴＷＩ１」と表記する。以下、熱源機６２−１から往１次ヘッダ６３に供給される熱媒の温度を「ＴＷＯ１」と表記する。以下、１次ポンプ７０−２から熱源機６２−２に供給される熱媒の温度を「ＴＷＩ２」と表記する。以下、熱源機６２−２から往１次ヘッダ６３に供給される熱媒の温度を「ＴＷＯ２」と表記する。以下、１次ポンプ７０−３から熱源機６２−３に供給される熱媒の温度を「ＴＷＩ３」と表記する。以下、熱源機６２−３から往１次ヘッダ６３に供給される熱媒の温度を「ＴＷＯ３」と表記する。
【００１６】
以下、熱源機６２−１から往１次ヘッダ６３に供給される熱媒の流量（熱媒流量）を「Ｖ１」と表記する。以下、熱源機６２−２から往１次ヘッダ６３に供給される熱媒の流量を「Ｖ２」と表記する。以下、熱源機６２−３から往１次ヘッダ６３に供給される熱媒の流量を「Ｖ３」と表記する。以下、往２次ヘッダ６６の温度を「ＴＬＯ」と表記する。以下、還ヘッダ６８の温度を「ＴＬＩ」と表記する。往２次ヘッダ６６から負荷６７に供給される熱媒の流量を「Ｖ」と表記する。
【００１７】
以下、１次ポンプ７０と熱源機６２とを含む循環路を「１次側循環路」という。以下、往２次ヘッダ６６と負荷６７と還ヘッダ６８とを含む循環路を「２次側循環路」という。
【００１８】
冷却塔６０−ｋ（ｋは１〜３のいずれか）は、熱源機６２−ｋから供給された冷却水を、予め定められた温度にする。例えば、冷却塔６０−ｋは、内蔵ファンの運転台数等を変化させることによって、予め定められた温度の冷却水を生成する。
【００１９】
冷却水ポンプ６１−ｋは、冷却塔６０−ｋによって生成された冷却水を、熱源機６２−ｋに供給する。冷却水ポンプ６１−１は、温度ＴＣＷＩ１の冷却水を熱源機６２−１に供給する。冷却水ポンプ６１−２は、温度ＴＣＷＩ２の冷却水を熱源機６２−２に供給する。冷却水ポンプ６１−３は、温度ＴＣＷＩ３の冷却水を熱源機６２−３に供給する。
【００２０】
熱源機６２−ｋは、冷却水ポンプ６１−ｋから供給された冷却水を用いて、１次ポンプ７０−ｋから供給された熱媒を予め定められた温度にする。熱源機６２−１は、温度ＴＷＯ１の熱媒を往１次ヘッダ６３に供給する。熱源機６２−１は、流量Ｖ１の熱媒を往１次ヘッダ６３に供給する。熱源機６２−２は、温度ＴＷＯ２の熱媒を往１次ヘッダ６３に供給する。熱源機６２−２は、流量Ｖ２の熱媒を往１次ヘッダ６３に供給する。熱源機６２−３は、温度ＴＷＯ３の熱媒を往１次ヘッダ６３に供給する。熱源機６２−３は、流量Ｖ３の熱媒を往１次ヘッダ６３に供給する。
【００２１】
往１次ヘッダ６３は、熱源機６２−１〜６２−３から熱媒を取得する。往１次ヘッダ６３は、２次ポンプ６４に熱媒を供給する。
【００２２】
２次ポンプ６４は、２次側循環路において、熱媒を往２次ヘッダ６６に供給する。２次ポンプ６４は、往２次ヘッダ６６における熱媒の圧力値を予め定められた値に維持するように、熱媒を供給する機構の回転数等を変化させる。２次ポンプ６４は、複数でもよい。
【００２３】
バイパス弁６５は、往２次ヘッダ６６の圧力が上昇した場合、開度を増加させる。バイパス弁６５は、開度を増加させた場合、往２次ヘッダ６６から往１次ヘッダ６３に熱媒を戻す。これによって、バイパス弁６５は、往２次ヘッダ６６の圧力上昇を防止することができる。
【００２４】
往２次ヘッダ６６は、２次ポンプ６４から供給された熱媒を、負荷６７に供給する。
負荷６７は、空調機器や非冷却機器などの機器である。負荷６７は、空調機器である場合、往２次ヘッダ６６から供給された熱媒によって冷却又は加熱される。負荷６７は、非冷却機器である場合、往２次ヘッダ６６から供給された熱媒によって加熱されてもよい。還ヘッダ６８は、負荷６７から熱媒を取得する。
【００２５】
往還バイパス路６９では、１次側循環路における熱媒の流量（熱媒流量）が２次側循環路の熱媒の流量より多い場合、熱媒は、往１次ヘッダ６３から還ヘッダ６８に流れる。往還バイパス路６９では、２次側循環路における熱媒の流量が１次側循環路の熱媒の流量より多い場合、熱媒は、還ヘッダ６８から往１次ヘッダ６３に供給される。
【００２６】
１次ポンプ７０−ｋは、１次側循環路において、還ヘッダ６８から熱媒を取得する。１次ポンプ７０−ｋは、熱源機６２−ｋに熱媒を供給する。
【００２７】
図３は、エクセルギー効率決定装置２の構成の例を示す図である。エクセルギー効率決定装置２は、記憶部２０と、決定部２１と、画像生成部２２と、表示部２３と、操作部２４とを備える。
【００２８】
決定部２１と、画像生成部２２とのうち一部または全部は、例えば、ＣＰＵ（Central Processing Unit）等のプロセッサが、記憶部に記憶されたプログラムを実行することにより機能するソフトウェア機能部である。また、これらの機能部のうち一部または全部は、ＬＳＩ（Large Scale Integration）やＡＳＩＣ（Application Specific Integrated Circuit）等のハードウェア機能部であってもよい。
【００２９】
記憶部２０は、例えば、ＲＯＭ（Read Only Memory）、フラッシュメモリ、ＨＤＤ（Hard Disk Drive）などの不揮発性の記憶媒体（非一時的な記録媒体）を有する。記憶部２０は、例えば、ＲＡＭ（Random Access Memory）やレジスタなどの揮発性の記憶媒体を有していてもよい。記憶部２０は、例えば、ソフトウェア機能部を機能させるためのプログラムを記憶する。
【００３０】
記憶部２０（取得部）は、熱源システム６の熱源機６２等が負荷６７に供給した熱媒の温度（媒体温度）ＴＬＯを表す情報を記憶する。記憶部２０は、熱源システム６の熱源機６２等が負荷６７に供給した熱媒の流量Ｖを表す情報を記憶する。
【００３１】
記憶部２０は、熱源システム６の全ての機器が消費したエネルギー量を表す情報を記憶する。熱源システム６の全ての機器が消費したエネルギー量とは、図２に示す例では、冷却塔６０と１次ポンプ６１と熱源機６２と１次ポンプ７０とによって消費されたエネルギーの合計量である。
【００３２】
記憶部２０は、熱源システム６の熱源機６２等に関する環境温度を表す情報を記憶する。例えば、記憶部２０は、熱源システム６の外部における環境温度を表す情報を記憶する。環境温度は、温度計によって測定される。環境温度を表す情報は、建物４の周囲の気象情報を提供するサーバ装置等から取得された情報でもよい。なお、記憶部２０は、ユーザによる操作に応じて、各情報を一括で取得してもよい。記憶部２０は、記憶している各情報を定期的に更新してもよい。
【００３３】
決定部２１は、ユーザによって指定された対象期間における情報を、記憶部２０から取得する。決定部２１は、ユーザによって指定された対象期間における情報を、操作部２４から取得してもよい。対象期間は、例えば、過去の期間である。なお、決定部２１は、時刻情報を取得してもよい。時刻情報は、例えば、現在又は過去の時刻を示す値である。
【００３４】
決定部２１は、取得した各情報に基づいて、エクセルギー効率を熱源システム６ごとに決定する。すなわち、決定部２１は、取得した各情報に基づいて、エクセルギー効率を建物４ごとに決定する。
【００３５】
決定部２１は、取得した各情報を式（１）に代入することによって、エクセルギー効率を熱源システム６ごとに決定する。
【００３６】
【数１】
2017053555.tif 000003
【００３７】
ＥＸは、エクセルギー効率［％］を示す。Ｃは、比熱［Ｊ／（ｋｇ・℃）］を示す。Ｖは、熱媒流量［ｋｇ／ｓｅｃ］を示す。Ｔは、環境温度[℃]を示す。ＴＬＯは、熱媒温度[℃]を示す。Ｅは、熱媒を供給するために消費されたエネルギー量［Ｊ］を示す。jは、建物の識別番号を示す。tは、時刻を示す。
【００３８】
エクセルギー効率決定装置２は、環境温度Ｔに違いがある場合でも、エクセルギー効率ＥＸを評価指標に採用することによって複数の熱源システム６の効率を評価することができる。
【００３９】
画像生成部２２は、画像を生成する。例えば、画像生成部２２は、時系列に並べられたエクセルギー効率を表す画像を生成する。エクセルギー効率を表す画像は、例えば、グラフ、値の画像である。
【００４０】
表示部２３は、表示装置である。表示部２３は、画像生成部２２によって生成された画像を表示する。表示部２３は、エクセルギー効率を表す情報を表示する。例えば、表示部２３は、エクセルギー効率を表すグラフを表示する。例えば、表示部２３は、エクセルギー効率を表す値を表示してもよい。
【００４１】
操作部２４は、ユーザによる操作を受け付ける。操作部２４は、例えば、対象期間を入力する操作を受け付ける。操作部２４は、例えば、キーボード、マウス、タッチパネルである。操作部２４がマウス又はタッチパネルである場合、表示部２３の画面に表示されたグラフの軸における範囲を指定する操作を受け付けてもよい。
【００４２】
図４は、エクセルギー効率を表す画像の表示の第１例を示す図である。横軸は、時刻又は期間を示す。縦軸は、エクセルギー効率を示す。表示部２３は、熱源システム６のエクセルギー効率を、建物４ごとに時系列で表示する。図４では、表示部２３は、建物４−１、４−２、４−Ｎにおける各熱源システム６のエクセルギー効率を、線グラフによって時系列で表示する。なお、建物４の名称は、匿名で表示されてもよい。
【００４３】
図５は、エクセルギー効率を表す画像の表示の第２例を示す図である。横軸は、時刻又は期間を示す。グラフの左側に定められた第１縦軸は、エクセルギー効率を示す。表示部２３は、エクセルギー効率決定装置２のユーザによって指定された建物４について、熱源システム６のエクセルギー効率を、線グラフによって時系列で表示する。
【００４４】
グラフの右側に定められた第２縦軸は、熱媒温度と環境温度との差を示す。表示部２３は、熱媒温度と環境温度との差を、時系列で表示する。熱媒温度と環境温度との差は、決定部２１がエクセルギー効率を算出する際に使用したパラメータである。
【００４５】
グラフの右側に定められた第３縦軸は、熱媒流量を示す。表示部２３は、熱媒流量を時系列で表示する。熱媒流量は、決定部２１がエクセルギー効率を算出する際に使用したパラメータである。
【００４６】
図６は、エクセルギー効率決定装置２の動作の第１例を示すフローチャートである。
記憶部２０は、媒体温度ＴＬＯを表す情報を記憶する。記憶部２０は、流量Ｖを表す情報を記憶する。記憶部２０は、熱源システム６の全ての機器が消費したエネルギー量を表す情報を記憶する。記憶部２０は、熱源システム６の周囲における環境温度を表す情報を記憶する（ステップＳ１０１）。
【００４７】
決定部２１は、ユーザによって指定された対象期間における情報を、記憶部２０等から取得する（ステップＳ１０２）。決定部２１は、取得した各情報に基づいて、エクセルギー効率を熱源システム６ごとに決定する（ステップＳ１０３）。
【００４８】
画像生成部２２は、決定されたエクセルギー効率を表す画像を時系列に並べる（ステップＳ１０４）。表示部２３は、時系列に並べられたエクセルギー効率を表す画像を表示する（ステップＳ１０５）。
【００４９】
以上のように、第１の実施形態のエクセルギー効率決定装置２は、記憶部２０又は操作部２４と、決定部２１とを持つ。記憶部２０又は操作部２４は、熱源機６２が負荷６７に供給する熱媒の温度（熱媒温度）及び流量（熱媒流量）を表す情報と、熱媒を負荷６７に供給するために熱源機６２等によって消費されたエネルギー量を表す情報とを取得する。決定部は、熱媒の温度及び流量と消費されたエネルギー量を表す情報とに基づいて、エクセルギー効率を決定する。エクセルギー効率は、熱の質（例えば、熱媒温度、環境温度）の違いに影響されない。
【００５０】
これによって、第１の実施形態のエクセルギー効率決定装置２は、熱源システム６ごとに熱媒温度又は環境温度に違いがある場合でも、熱媒温度又は環境温度の違いに影響されることなく複数の熱源システム６の効率を評価することが可能となる。すなわち、第１の実施形態のエクセルギー効率決定装置２は、熱源システム６ごとに熱媒温度又は環境温度（熱の質）に違いがある場合でも、エクセルギー効率に基づいて複数の熱源システム６の性能を公平に評価することが可能となる。
【００５１】
第１の実施形態のエクセルギー効率決定装置２は、事業者が国内及び国外に保有する各工場等の熱源システム６について、熱媒の運用温度や熱源システム６の周囲の環境温度に違いがある場合でも、各熱源システム６の効率（性能）を評価することができる。ユーザは、複数の建物４に備えられた各熱源システム６におけるエクセルギー効率の時間変化を、一括して確認することができる。
【００５２】
第１の実施形態のエクセルギー効率決定装置２は、各熱源システム６が供給する熱媒の温度と環境温度との差と、熱媒流量とを、同じ画面に一括表示することによって、エクセルギー効率の変化要因を、ユーザに把握させることができる。
【００５３】
（第２の実施形態）
第２の実施形態では、エクセルギー効率決定装置２がエクセルギー効率の平均値（以下、「平均エクセルギー効率」という。）、最大値及び最小値を決定する点が、第１の実施形態と相違する。第２の実施形態では、第１の実施形態との相違点についてのみ説明する。
【００５４】
図７は、エクセルギー効率を表す画像の表示の第３例を示す図である。図７では、ユーザから指定された対象期間は、予め定められた閾値以上の長さである。横軸は、建物４を示す。縦軸は、エクセルギー効率を示す。表示部２３は、熱源システム６のエクセルギー効率の最大値及び最小値を表す画像を、識別番号順に並べられた建物４ごとに、対象期間について表示する。
【００５５】
図７では、表示部２３は、熱源システム６のエクセルギー効率の最大値及び最小値を、最大値を示す上底と最小値を示す下底とを有する図形によって表示する。最大値を示す上底と最小値を示す下底とを有する図形は、例えば、四角形である。
【００５６】
決定部２１は、式（２）に基づいて、平均エクセルギー効率ＡＥＸを決定する。
【００５７】
【数２】
2017053555.tif 000004
【００５８】
ＡＥＸは、平均エクセルギー効率［％］を示す。ｎはサンプル数を示す。jは、建物の識別番号を示す。tは、時刻を示す。
決定部２１は、式（３）に基づいて、熱媒温度と環境温度との平均温度の差を決定する。
【００５９】
【数３】
2017053555.tif 000005
【００６０】
ＡＴは、熱媒温度と環境温度との平均温度の差[℃]を示す。
【００６１】
決定部２１は、式（４）に基づいて、熱媒の定格流量に対する熱媒流量の平均比率を決定する。
【００６２】
【数４】
2017053555.tif 000006
【００６３】
式（４）に示すＡＶは、熱源システム６における、熱媒の定格流量に対する熱媒流量の平均比率［％］を示す。ＶＭは、熱源システム６における定格流量［ｋｇ/ｓｅｃ］を示す。
【００６４】
図８は、平均エクセルギー効率を表す画像の表示の第１例を示す図である。図８では、ユーザから指定された対象期間は、予め定められた閾値以上の長さである。すなわち、図８では、ユーザは、時刻でなく期間をエクセルギー効率決定装置２に指定している。横軸は、建物４を示す。縦軸は、平均エクセルギー効率を示す。表示部２３は、熱源システム６のエクセルギー効率を表す画像を、識別番号順に並べられた建物４ごとに表示する。表示部２３は、熱源システム６のエクセルギー効率を、対象期間について棒グラフによって表示する。
【００６５】
図９は、平均エクセルギー効率を表す画像の表示の第２例を示す図である。図９では、ユーザから指定された対象期間は、予め定められた閾値以上の長さである。横軸は、建物４を示す。縦軸は、平均エクセルギー効率を示す。表示部２３は、熱源システム６のエクセルギー効率を表す画像を、定格流量に対する熱媒流量の平均比率の順に並べられた建物４ごとに表示する。表示部２３は、熱源システム６のエクセルギー効率を、対象期間について棒グラフによって表示する。
【００６６】
図１０は、平均エクセルギー効率を表す画像の表示の第３例を示す図である。図１０では、ユーザから指定された対象期間は、予め定められた閾値以上の長さである。横軸は、建物４を示す。縦軸は、平均エクセルギー効率を示す。表示部２３は、熱源システム６のエクセルギー効率を表す画像を、熱媒温度と環境温度との平均温度の差の順に並べられた建物４ごとに表示する。表示部２３は、熱源システム６のエクセルギー効率を、対象期間について棒グラフによって表示する。
【００６７】
図１１は、エクセルギー効率決定装置の動作の第２例を示すフローチャートである。ステップＳ２０１〜ステップＳ２０３は、第１の実施形態におけるステップＳ１０１〜ステップＳ１０３と同じである。
【００６８】
決定部２１は、ユーザから指定された対象期間が閾値以上の長さであるか否かを判定する。すなわち、決定部２１は、ユーザが時刻を指定したか又は期間を指定したかを判定する（ステップＳ２０４）。
【００６９】
ユーザから指定された対象期間が閾値以上の長さである場合、すなわち、ユーザが期間を指定した場合（ステップＳ２０４：ＹＥＳ）、決定部２１は、平均エクセルギー効率を決定する（ステップＳ２０５）。画像生成部２２は、平均エクセルギー効率を表す画像を、ユーザから指定された順に並べる（ステップＳ２０６）。
【００７０】
ユーザから指定された順とは、例えば、予め定められた建物の識別番号の昇順又は降順、定格流量に対する熱媒流量の平均比率の昇順又は降順、熱媒温度と環境温度との平均温度の差の昇順又は降順である。画像生成部２２は、ステップＳ２０８に処理を進める。
【００７１】
ユーザから指定された対象期間が閾値未満の長さである場合、すなわち、ユーザが時刻を指定した場合（ステップＳ２０４：ＮＯ）、画像生成部２２は、エクセルギー効率を表す画像を、ユーザから指定された順に並べる（ステップＳ２０７）。表示部２３は、ユーザから指定された順に並べられたエクセルギー効率を表す画像を表示する（ステップＳ２０８）。
【００７２】
以上のように、第２の実施形態のエクセルギー効率決定装置２は、熱媒の温度と環境温度との差を表す画像を生成する。これによって、ユーザは、熱源システム６のエクセルギー効率を低下させている要因を、容易に把握することが可能となる。
【００７３】
ユーザは、熱源システム６のエクセルギー効率を、複数の建物４について一括して確認することができる。ユーザは、定格流量に対する熱媒流量の比率と、熱媒の温度と環境温度との差と、エクセルギー効率との相関を、建物４又は熱源システム６ごとに確認することができる。
【００７４】
（第３の実施形態）
第３の実施形態では、エクセルギー効率決定装置２が消費電力削減量を表示する点が、第１の実施形態と相違する。第３の実施形態では、第１の実施形態との相違点についてのみ説明する。
【００７５】
決定部２１は、式（５）に基づいて、一次エネルギー削減量ＤＥを建物４ごとに決定する。決定部２１は、式（５）に基づいて、消費電力削減量を建物４ごとに決定してもよい。
【００７６】
【数５】
2017053555.tif 000007
【００７７】
ＤＥは、一次エネルギー削減量［Ｊ］又は[ｋＷｈ]を示す。ＤＥは、消費電力削減量［Ｊ］又は[ｋＷｈ]を示してもよい。ＥＸは、エクセルギー効率［％］を示す。ＭＥＸは、仮想エクセルギー効率［％］を示す。式（５）におけるｋは、換算係数を示す。jは、建物の識別番号を示す。tは、時刻を示す。
【００７８】
仮想エクセルギー効率ＭＥＸは、例えば、時刻tにおける他の建物４と比較してエクセルギー効率が最も高い建物４の熱源システム６におけるエクセルギー効率ＥＸである。仮想エクセルギー効率ＭＥＸは、例えば、時刻tにおける他の建物４と比較して平均エクセルギー効率が最も高い建物４の熱源システム６における平均エクセルギー効率ＡＥＸでもよい。仮想エクセルギー効率ＭＥＸは、例えば、ユーザーによって任意に定められてもよい。
【００７９】
図１２は、消費電力削減量の表示の例を示す図である。図１２では、ユーザから指定された対象期間は、予め定められた閾値以上の長さである。すなわち、図１２では、ユーザは、時刻でなく期間をエクセルギー効率決定装置２に指定している。横軸は、建物４を示す。縦軸は、消費電力削減量を示す。表示部２３は、熱源システム６の消費電力削減量を表す画像を、識別番号順に並べられた建物４ごとに表示する。表示部２３は、熱源システム６の消費電力削減量を、対象期間について棒グラフによって表示する。図１２では、建物４−２は、対象期間における平均エクセルギー効率が他の建物４と比較して最も高い建物である。このため、建物４−２における消費電力削減量は、基準０［ｋＷｈ］と定められている。
【００８０】
図１３は、エクセルギー効率決定装置２の動作の第３例を示すフローチャートである。ステップＳ３０１〜ステップＳ３０３は、第１の実施形態におけるステップＳ１０１〜ステップＳ１０３と同じである。決定部２１は、取得した各情報に基づいて、一次エネルギー削減量又は消費電力削減量を熱源システム６ごとに決定する（ステップＳ３０４）。画像生成部２２は、一次エネルギー削減量又は消費電力削減量を表す画像を、ユーザから指定された順に並べる（ステップＳ３０５）。表示部２３は、一次エネルギー削減量又は消費電力削減量を表す画像を、建物４ごとに表示する（ステップＳ３０６）。
【００８１】
以上のように、第３の実施形態の画像生成部２２は、一次エネルギー削減量又は消費電力削減量を表す画像を生成する。これによって、第３の実施形態のエクセルギー効率決定装置２は、事業者が国内及び国外に保有する各工場等の熱源システム６に熱媒温度又は環境温度の違いがある場合でも、各熱源システム６が削減することができる一次エネルギー消費量又は消費電力量を、評価することが可能となる。
【００８２】
ユーザは、熱源システム６を最も効率的に運用している建物４と同等に削減できる一次エネルギー消費量又は消費電力量を、容易に評価することができる。ユーザは、予め定められたエクセルギー効率となるように熱源システム６を運用した場合に削減することができる一次エネルギー消費量又は消費電力量を、容易に評価することができる。
【００８３】
（第４の実施形態）
第４の実施形態では、エクセルギー効率を表す画像をエクセルギー効率決定装置２が熱源機６２ごとに表示する点が、第１の実施形態と相違する。第４の実施形態では、第１の実施形態との相違点についてのみ説明する。
【００８４】
決定部２１は、式（６）に基づいて、エクセルギー効率を熱源機６２ごとに決定する。
【００８５】
【数６】
2017053555.tif 000008
【００８６】
ＥＸ１は、熱源機６２のエクセルギー効率［％］を示す。Ｖ１は、熱源機６２の熱媒流量［ｋｇ／ｓｅｃ］を示す。ＴＷＯ１：熱源機６から供給された熱媒の温度［℃］を示す。Ｅ１は、熱源機６２によって消費されたエネルギー量［Ｊ］を示す。Ｅ１は、図２に示すように、熱媒流量Ｖ１［ｋｇ／ｓｅｃ］である熱源機６２の消費エネルギー量と、熱源機６２に熱媒を供給する１次ポンプ７０の消費エネルギー量と、熱源機６２に接続される冷却塔６０の消費エネルギー量と、熱源機６２に冷却水を供給する冷却水ポンプ６１の消費エネルギー量との合算値である。ｔは、時刻を示す。
【００８７】
図１４は、エクセルギー効率を表す画像の表示の第４例を示す図である。横軸は、時刻又は期間を示す。縦軸は、エクセルギー効率を示す。表示部２３は、ユーザによって指定された建物４の熱源システム６の全体のエクセルギー効率を、線グラフによって表示する。表示部２３は、ユーザによって指定された建物４の熱源システム６のエクセルギー効率を、熱源機６２ごとに線グラフによって表示する。
【００８８】
図１５は、エクセルギー効率決定装置２の動作の第４例を示すフローチャートである。ステップＳ４０１〜ステップＳ４０２は、第１の実施形態におけるステップＳ１０１〜ステップＳ１０２と同じである。決定部２１は、取得した各情報に基づいて、エクセルギー効率を熱源機６２ごとに決定する（ステップＳ４０３）。画像生成部２２は、熱源機６２ごとに決定されたエクセルギー効率を表す画像を、時系列に並べる（ステップＳ４０４）。表示部２３は、一次エネルギー削減量又は消費電力削減量を表す画像を、建物４ごとに表示する（ステップＳ４０５）。
【００８９】
以上のように、第４の実施形態の決定部２１は、エクセルギー効率を熱源機６２ごとに決定する。これによって、ユーザは、建物４の熱源システム６の全体におけるエクセルギー効率に影響を与える熱源機６２を、容易に特定することが可能となる。
【００９０】
以上述べた少なくともひとつの実施形態によれば、熱媒温度及び熱媒流量を表す情報と消費されたエネルギー量を表す情報とに基づいてエクセルギー効率を決定する決定部を持つことにより、熱源システムごとに熱媒温度又は環境温度に違いがある場合でも、熱媒温度又は環境温度の違いに影響されることなく複数の熱源システムの効率を評価することができる。
【００９１】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９２】
１…エクセルギー効率決定システム、２…エクセルギー効率決定装置、３…通信回線、４…建物、５…制御装置、６…熱源システム、２０…記憶部、２１…決定部、２２…画像生成部、２３…表示部、２４…操作部、６０…冷却塔、６１…冷却水ポンプ、６２…熱源機、６３…往１次ヘッダ、６４…２次ポンプ、６５…バイパス弁、６６…往２次ヘッダ、６７…負荷、６８…還ヘッダ、６９…往還バイパス路、７０…１次ポンプ
【図１】
2017053555.tif 000009
【図２】
2017053555.tif 000010
【図３】
2017053555.tif 000011
【図４】
2017053555.tif 000012
【図５】
2017053555.tif 000013
【図６】
2017053555.tif 000014
【図７】
2017053555.tif 000015
【図８】
2017053555.tif 000016
【図９】
2017053555.tif 000017
【図１０】
2017053555.tif 000018
【図１１】
2017053555.tif 000019
【図１２】
2017053555.tif 000020
【図１３】
2017053555.tif 000021
【図１４】
2017053555.tif 000022
【図１５】
2017053555.tif 000023